【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
ＳＩＭカードに通信処理を行うオーバレイを取付けられることを可能にするＳＩＭカードのアプリケータであって、前記ＳＩＭカードは、複数のＳＩＭカードパッドを備え、前記オーバレイは、通信処理部と、取付けられることで前記通信処理部が前記ＳＩＭカードに／から情報を送信／受信可能にするオーバレイパッドとを備え、前記アプリケータは、
決まった位置に前記オーバレイを除去することが可能に保持する保持部と、
前記ＳＩＭカードを受け入れるＳＩＭ受入部とを備え、前記保持部と前記ＳＩＭ受入部とは、前記オーバレイの前記通信処理部と前記ＳＩＭカードの前記ＳＩＭカードパッドとが正確に位置を合わせ、固定するように配置され、
前記オーバレイは、前記保持部から除去すること、または分離することができ、それによって、モバイル端末で使用するための改造されたＳＩＭカードを規定するために、前記オーバレイの前記通信処理部が、前記ＳＩＭカードパッドに対して正確に位置を合わせられ、固定される、ＳＩＭカードのアプリケータ。
【請求項２】
前記ＳＩＭ受入部は、前記ＳＩＭカードを収容するための切抜き部があるクレジットカード型の保持部を備え、前記切抜き部は、前記オーバレイと位置合わせされており、
前記アプリケータは、前記切抜き部の内側に配置することができるアダプタを含み、前記アダプタは、大きさの異なる様々なＳＩＭカードを収容するように構成される、請求項１に記載のＳＩＭカードのアプリケータ。
【請求項３】
前記保持部は、前記オーバレイが除去することが可能に固定される粘着性の保護フィルムを備え、前記フィルムは、前記ＳＩＭ受入部の第１側面に対しても除去することが可能に固定可能である、請求項１または請求項２に記載のＳＩＭカードのアプリケータ。
【請求項４】
前記アプリケータは、前記ＳＩＭ受入部の他の側面にある前記オーバレイを覆うために、前記ＳＩＭ受入部の第２側面に対して除去することが可能に固定可能な第２の粘着性の保護フィルムを備えている、請求項１〜３のいずれか１項に記載のＳＩＭカードのアプリケータ。
【請求項５】
前記オーバレイは、前記通信処理部を取り囲むキャリア部分を備え、前記アプリケータは、前記取り囲むキャリア部分から前記オーバレイの前記通信処理部を除去するまたは分離するように構成されており、
前記アプリケータは、前記取り囲むキャリア部分から前記オーバレイの前記通信処理部を切り出すための操作を可能にするための切断要素を含み、
前記アプリケータは、前記ＳＩＭ受入部を規定するベース板を備え、前記ベース板は、前記ＳＩＭカードを収容するための開口部が設けてある、請求項１に記載のＳＩＭカードのアプリケータ。
【請求項６】
前記アプリケータは、前記ベース板に対し枢動可能なフレームを備え、前記フレームは、前記オーバレイを収容するための窓部を設けてあり、前記窓部と前記ベース板の前記開口部とは、前記ベース板と前記フレームとが互いに枢動されるときに、前記ＳＩＭカードパッドに対し前記オーバレイの前記通信処理部が正確に一致するように、位置を合わせ、
前記フレームは、前記フレームに前記オーバレイを固定して正確な位置を合わせるため、および一度に前記ベース板と前記フレームとを互いに枢動し、共に加圧して前記ＳＩＭカードに前記オーバレイを固定するための粘着性フィルムなどの固定手段を備えている、請求項５に記載のＳＩＭカードのアプリケータ。
【請求項７】
前記切断要素は、前記通信処理部と前記取り囲むキャリア部分との間の境界に対応し、前記取り囲むキャリア部分から前記通信処理部の分離を容易にするように形成される切断部を含み、
前記通信処理部と前記取り囲むキャリア部分との間の境界は、前記取り囲むキャリア部分から前記通信処理部を分離することをさらに容易にするために脆くしてある、請求項５または請求項６に記載のＳＩＭカードのアプリケータ。
【請求項８】
前記取り囲むキャリア部分は、前記通信処理部が除去することが可能に固定されたテープを備え、
前記切断要素は、前記ベース板および前記フレームに対して枢動可能であり、
任意に、前記切断要素は、切断部材であり、前記フレームおよび前記ベース板に取付けられていない、請求項５〜７のいずれか１項に記載のＳＩＭカードのアプリケータ。
【請求項９】
前記保持部と前記ＳＩＭ受入部との両方を一体的に規定したフレーム調整部を提供し、前記フレーム調整部は、中央開口部が設けてあり、
前記アプリケータは、前記フレーム調整部を受け入れるための溝部を有する治具部を備え、前記治具部には、前記フレーム調整部が前記治具部に挿入されたときに、前記フレーム調整部の前記中央開口部に合う中央開口部を設けてあり、
前記オーバレイは、除去されたとき、前記オーバレイに対する前記ＳＩＭカードの固定と、正確な位置合わせを確保するための除去可能な保護フィルムを装着してある、請求項５に記載のＳＩＭカードのアプリケータ。
【請求項１０】
前記フレーム調整部は、それぞれに前記中央開口部が設けられた一対のプラスチック製のフレーム体を備え、前記フレーム体は、前記フレーム体を一体として固定するため、および前記フレーム体の間に前記オーバレイとそれに関連付けられた前記除去可能な保護フィルムとを挟むための固定部材を有しており、
前記フレーム調整部と前記治具部とは、前記治具部の前記溝部への前記フレーム調整部の挿入を容易にするために、補足的なガイド構造を含む、請求項９に記載のＳＩＭカードのアプリケータ。
【請求項１１】
前記切断要素は、前記通信処理部と前記取り囲むキャリア部分との間のミシン目を形成した境界に対応して、前記取り囲むキャリア部分から前記通信処理部の分離を容易にするように形成された切断部を含み、
任意に、前記切断要素は、前記フレーム調整部および前記治具部において位置が合わせられた開口部を介して前記切断部が押し込まれるように手動で動かすことが可能な分離された構成である、請求項９または請求項１０に記載のＳＩＭカードのアプリケータ。
【請求項１２】
ＳＩＭカードに通信処理を行うオーバレイを取付ける方法であって、前記ＳＩＭカードは、複数のＳＩＭカードパッドを備え、前記オーバレイは、通信処理部と、オーバレイパッドとを備え、前記方法は、
前記オーバレイが除去することが可能に保持されている保持部を用意し、
ＳＩＭ受入部に設けられた切抜き部の内側に前記オーバレイを位置合わせ、前記オーバレイは、露出面に粘着性を有し、
前記切抜き部の内側に前記ＳＩＭカードを配置し、
前記オーバレイの前記通信処理部を前記ＳＩＭカードに堅固に接着し、
接着した前記ＳＩＭカードおよび前記オーバレイを前記保持部から除去し、それによって、モバイル端末で使用するための改造されたＳＩＭカードを規定するために、前記オーバレイの前記通信処理部が、前記ＳＩＭカードパッドに対して正確に位置を合わせられ、固定される、方法。
【請求項１３】
ＳＩＭカードに通信処理を行うオーバレイを取付ける方法であって、前記ＳＩＭカードは、複数のＳＩＭカードパッドを備え、前記オーバレイは、通信処理部と、取り囲むキャリア部分とを備え、前記方法は、
前記オーバレイの前記通信処理部と、前記ＳＩＭカードのＳＩＭカードパッドとの位置を合わせて、固定し、
前記取り囲むキャリア部分から前記オーバレイの前記通信処理部を除去し、それによって、モバイル端末で使用するための改造されたＳＩＭカードを規定するために、前記オーバレイの前記通信処理部が、前記ＳＩＭカードパッドに対して正確に位置を合わせられ、固定される、方法。
【請求項１４】
ＳＩＭカードに通信処理を行うオーバレイを取付けられることを可能にするＳＩＭカードのアプリケータのためのフレーム調整部であって、前記オーバレイは、通信処理部と、取り囲むキャリア部分とを備え、前記フレーム調整部は、中央開口部を設けたフレーム体を備え、前記オーバレイは、前記フレーム体の内側に位置付けられ、前記ＳＩＭカードは、前記フレーム体の前記中央開口部に収められ、前記フレーム調整部は、前記オーバレイと前記ＳＩＭカードとを収容し、正確に位置を合わせることができる、フレーム調整部。
【請求項１５】
前記フレーム体は、それぞれ中央開口部を設けた一対のプラスチックフレーム体と、前記オーバレイが前記一対のプラスチックフレーム体の間に位置し、
前記フレーム体の間に前記オーバレイを挟み、前記ＳＩＭカードを前記フレーム体の１つの前記中央開口部の内側に収めるための前記フレーム体を固定するための固定部とを備えている、請求項１４に記載のフレーム調整部。